(57)【要約】      （修正有）【課題】立体的で矛らかな視覚上の効果を向上させたぷくぷくシールを提供する。【解決手段】ぷくぷくシール構造は基材とその上に塗り重ねる様々な色の発泡材料を含む。該基材は背面接着の布或いは同等の材質により製造し、該基材には第一図案層２１の発泡材料を塗布し、さらに該第一図案層の予定区域には、順番に第二図案層２２、及び複数の図案層を重ね、完全な図案体を構成する。次に、該図案体を適当な温度で加熱し発泡させ、立体的で浮き上がった形態を呈する。該図案体の周縁には、適当な間隔を開けカッティングライン２４を設置し、使用者は該カッティングラインにより図案体を剥がし、任意の物件に貼ることができる。こうしてシールはより美しく、より立体的な視覚上の効果を備え、柔らかな触感上の効果をも達成することができる。【選択図】図５
0003144595.tif 000002
【実用新案登録請求の範囲】
【請求項１】
基材、及び該基材に塗布、重ねる様々な色の発泡材料を含み、
該基材には第一図案層の発泡材料を塗布し、さらに順番に該第一図案層に重ねる第二図案層及び複数の図案層を設置し、完全な図案体を構成し、
該図案体を適当な温度で加熱すると、図案体は発泡し立体的で浮き上がった形態を呈し、該図案体の周縁には、適当な間隔を開けカッティングラインを設置し、使用者は該カッティングラインにより図案体を剥がし、任意の物件に貼ることができ、こうしてシールはより美しく、より立体的な視覚上の効果を備え、柔らかな触感上の効果をも達成することができることを特徴とするぷくぷくシール構造。
【請求項２】
前記基材は背面接着の布或いは同等の材質により製造することを特徴とする請求項１記載のぷくぷくシール構造。
【請求項３】
前記基材に塗布、重ねる発泡材料は、各種様々な色とし、多様で変化に富んだ図案を組み合わせることができることを特徴とする請求項１記載のぷくぷくシール構造。
【考案の詳細な説明】
【技術分野】
【０００１】
本考案はぷくぷくシール構造に関する。特に視覚の立体感と柔らかな触感を備え、デザインが新奇なぷくぷくシール構造に係る。
【背景技術】
【０００２】
様々な物件に貼ることができるぷくぷくシールの一般的な構造は、図１に示すように、背面に接着剤を設置する基材１(布、紙、或いは他の材料)の表面に、様々な色の発泡材料で各種図案１１を塗布し、さらに該各図案１１は加熱により発泡し、こうして図案１１は適当に浮き上がった状態を呈するものである。さらに該図案１１の周縁には、適当な間隔を開けカッティングライン１２を設置し、これにより使用者は該カッティングライン１２により該図案１１体を切り離し、任意の物件に貼ることができる。しかし、公知のぷくぷくシールは単層の塗布によるため、図案１１全体は立体的な視覚感に乏しく、ぷくぷくシールの新奇性を低下させてしまっている。申請人はこの点に鑑み、当業界における多年にわたる従事経験、絶えず向上を目指す精神を以って、たゆまぬ研究改良と考案の理念を堅持し、より新奇で、しかもより豊富な立体感を備えるぷくぷくシールを提供するものである。
【考案の開示】
【考案が解決しようとする課題】
【０００３】
本考案が解決しようとする課題は、立体的で美的な視覚上の効果と、柔らかな触感上の効果を達成し、デザインが新奇で、シールの実用価値を高めることができるぷくぷくシール構造を提供することである。
【０００４】
上記課題を解決するため、本考案は下記のぷくぷくシール構造を提供する。ぷくぷくシール構造は基材、及び該基材に塗布、重ねる様々な色の発泡材料を含み、
該基材には第一図案層の発泡材料を塗布し、さらに該第一図案層の予定区域には、順番に第二図案層、及び複数の図案層の発泡材料を重ね、完全な図案体を構成し、
該図案体を適当な温度で加熱し発泡させ、立体的で浮き上がった形態を呈し、
該図案体の周縁には、適当な間隔を開けカッティングラインを設置し、使用者は該カッティングラインにより図案体を剥がし、任意の物件に貼ることができ、
こうしてシールはより美しく、より立体的な視覚上の効果を備え、柔らかな触感上の効果をも達成することができ、
該発泡材料は、各種様々な色とし、多様で変化に富んだ図案を組み合わせることができ、
該基材は背面接着の布或いは同等の材質により製造する。
【課題を解決するための手段】
【０００５】
請求項１の考案は、基材、及び該基材に塗布、重ねる様々な色の発泡材料を含み、
該基材には第一図案層の発泡材料を塗布し、さらに順番に該第一図案層に重ねる第二図案層及び複数の図案層を設置し、完全な図案体を構成し、
該図案体を適当な温度で加熱すると、図案体は発泡し立体的で浮き上がった形態を呈し、該図案体の周縁には、適当な間隔を開けカッティングラインを設置し、使用者は該カッティングラインにより図案体を剥がし、任意の物件に貼ることができ、こうしてシールはより美しく、より立体的な視覚上の効果を備え、柔らかな触感上の効果をも達成することができることを特徴とするぷくぷくシール構造としている。
請求項２の考案は、前記基材は背面接着の布或いは同等の材質により製造することを特徴とする請求項１記載のぷくぷくシール構造としている。
請求項３の考案は、前記基材に塗布、重ねる発泡材料は、各種様々な色とし、多様で変化に富んだ図案を組み合わせることができることを特徴とする請求項１記載のぷくぷくシール構造としている。
【考案の効果】
【０００６】
上記のように、本考案は背面接着剤を設置する基材、及び該基材に塗布、重ねる多数の図案層により、ぷくぷくシール構造を構成し、該ぷくぷくシールはより美しく、より立体的な視覚上の効果を備え、柔らかな触感上の効果をも達成し、デザインが新奇で、シールの実用価値を高めることができる。
【考案を実施するための最良の形態】
【０００７】
図２、図３に図４、図５を合わせて示すように、本考案は主に基材２、及び該基材２に塗布、重ねる様々な色の発泡材料を含む。該基材は背面接着の布或いは同等の材質により製造し、該基材２には第一図案層２１の発泡材料を塗布し、さらに該第一図案層２１に順番に重ねる第二図案層２２と第三図案層２３を設置する。実際の実施例中では、該各重ねる図案層は設計のニーズに応じて複数層の発泡材料に増やし、完全な図案体を構成することができる。次に、該図案体を適当な温度で加熱すると、図案体は発泡し立体的で浮き上がった形態を呈する。該図案体の周縁には、適当な間隔を開けカッティングライン２４を設置し、使用者は該カッティングライン２４により図案体を剥がし、任意の物件に貼ることができる。こうしてシールはより美しく、より立体的な視覚上の効果を備え、柔らかな触感上の効果をも達成することができる。
【０００８】
図６に、図２〜図５を合わせて示すように、本考案の製造過程は以下のステップを含む。
１．基材２の表面に第一図案層２１の発泡材料(本実施例では、円錐状のアイスクリームカップ図案を塗布)を塗布する。
２．該第一図案層２１の予定区域において、異なる色の第二図案層２２の発泡材料(本実施例では、アイスクリームカップ図案の上方に、適当な大きさのアイスクリーム図案を重ねる)を重ねる。
３．該第二図案層２２の予定区域において、異なる色の第三図案層２３の発泡材料(本実施例では、アイスクリーム図案の表面に、多数のパウダーシュガー図案を重ねる) を重ね、完全な図案体(アイスクリーム図案)を構成する。
４．前記図案体を加熱し、該図案体を発泡させ、立体的な浮き上がった形状を形成する。
５．図案体の周縁に、適当な間隔を開けカッティングライン２４を設置する。
６．完全なシールを構成し、使用者は該カッティングライン２４により図案体を剥がし、基材２の背面接着剤により任意の物件に接着する。こうしてぷくぷくシールはより美しく、より立体的な視覚上の効果を備え、柔らかな触感上の効果をも達成することができる。
【０００９】
前記実施例において、該第一図案層２１に重ねる他の図案層の数は、一層或いは一層以上の複数層で、他の異なる形態のぷくぷくシールを構成し、各種形態のぷくぷくシールはより美しく、より立体的な視覚上の効果を備え、しかも触れると、柔らかな触感上の効果をも備える。
【００１０】
図７に示すように、本考案は様々な設計のニーズに基づき、様々なタイプの図案体を製造することができる。例えば図に示すように、カキ氷図案のぷくぷくシールでは、同様に基材３、様々な色の第一図案層３１(ボールの高台)、第二図案層３２(ボール体)、第三図案層３３(カキ氷)を含む。また該図案体周縁にはカッティングライン３４を設置し、使用者は該カッティングライン３４により図案体を剥がし、該基材３の背面接着剤により任意の物件に貼ることができる。
【００１１】
図８に示すように、本考案は様々な設計のニーズに基づき、様々なタイプの図案体を製造することができる。例えば図に示すように、ケーキ図案のぷくぷくシールでは、同様に基材４、様々な色の第一図案層４１(カップ)、第二図案層４２(ケーキ)、第三図案層４３(砂糖飾り)を含む。また該図案体周縁にはカッティングライン４４を設置し、使用者は該カッティングライン４４により図案体を剥がし、該基材４の背面接着剤により任意の物件に貼ることができる。
【００１２】
本考案は背面接着剤を設置する基材、及び該基材に塗布、重ねる多数の図案層により、ぷくぷくシール構造を構成し、該ぷくぷくシールはより美しく、より立体的な視覚上の効果を備え、柔らかな触感上の効果をも達成し、デザインが新奇で、シールの実用価値を高めることができる。
【図面の簡単な説明】
【００１３】
【図１】公知のぷくぷくシールの立体図である。
【図２】本考案の第一製造実施例立体図である。
【図３】本考案の第二製造実施例立体図である。
【図４】本考案の第三製造実施例立体図である。
【図５】本考案の完成品立体図である。
【図６】本考案の製造プロセス図である。
【図７】本考案の第二実施例立体図である。
【図８】本考案の第三実施例立体図である。
【符号の説明】
【００１４】
１  基材
１１  図案
１２  カッティングライン
２  基材
２１  第一図案層
２２  第二図案層
２３  第三図案層
２４  カッティングライン
３  基材
３１  第一図案層
３２  第二図案層
３３  第三図案層
３４  カッティングライン
４  基材
４１  第一図案層
２２  第二図案層
４３  第三図案層
４４  カッティングライン
【図１】
0003144595.tif 000003
【図２】
0003144595.tif 000004
【図３】
0003144595.tif 000005
【図４】
0003144595.tif 000006
【図５】
0003144595.tif 000007
【図６】
0003144595.tif 000008
【図７】
0003144595.tif 000009
【図８】
0003144595.tif 000010